(57)【特許請求の範囲】
【請求項１】
幅方向へ連続する単一の開閉体と、該開閉体よりも閉鎖方向の物体を感知した際の物体感知信号を送信する送信機と、該送信機から送信される信号を捕捉する捕捉部と、該捕捉部からの入力に応じて所定の制御指令を発する単一の制御装置とを備えた開閉装置において、
前記送信機と前記捕捉部とを開閉体開閉方向に対向するように一対に設けるとともに、この一対の送信機および捕捉部を二つ備え、
前記単一の開閉体の閉鎖方向端部に、開閉体幅方向へわたる座板を設けるとともに、この座板における開閉体幅方向の両側の各々に、前記開閉体よりも閉鎖方向の物体を感知する物体感知手段と、前記送信機を設け、
不動部位に、前記両側の送信機にそれぞれ対応するように、二つの前記捕捉部および単一の前記制御装置を設け、
前記各送信機における開閉体幅方向の両端側に、前記物体感知手段側の電気コード先端のコネクターに接続可能なコネクターを設け、
前記二つの物体感知手段による二つの感知信号を、それぞれ、前記コネクターを介して前記送信機に入力し、前記送信機から対応する前記捕捉部へ送信し、
二つの前記捕捉部から出力される二つの信号を単一の前記制御装置に入力し、入力された信号に応じて、単一の前記制御装置から所定の制御指令を発するようにしたことを特徴とする開閉装置。
【請求項２】
前記二つの物体感知手段は、前記単一の開閉体における前記座板に、物体との当接により開放方向へ移動可能な可動部材を設けるとともに、この可動部材を、開閉体幅方向に並ぶ二つの部材により構成し、この各部材毎に対応するように、この各部材が開放方向へ移動したことを感知する第一座板スイッチと第二座板スイッチを配設してなることを特徴とする請求項１記載の開閉装置。
【請求項３】
上記各送信機は、該送信機のバッテリー異常を示すバッテリー異常信号と、該送信機のバッテリー正常を示すバッテリー正常信号とを、バッテリー状態に応じて対応する上記捕捉部へ送信するように構成され、
上記制御装置は、上記複数の捕捉部の内の何れか一以上の捕捉部から前記バッテリー異常信号が入力されたことを条件に、所定の制御指令を発し、その制御指令を、全ての捕捉部からバッテリー正常信号が入力されたことを条件に解除するように構成されていることを特徴とする請求項１又は２記載の開閉装置。
【請求項４】
上記各送信機は、該送信機のバッテリー異常を示すバッテリー異常信号と、該送信機のバッテリー正常を示すバッテリー正常信号とを、バッテリー状態に応じて対応する上記捕捉部へ送信するように構成され、
上記制御装置は、上記複数の捕捉部から入力されるバッテリー異常信号を、それぞれ個別に認識して所定の制御指令を発し、その制御指令を、対応する捕捉部からバッテリー正常信号が入力されたことを条件に解除するように構成されていることを特徴とする請求項１又は２記載の開閉装置。
【請求項５】
上記送信機及び／又は上記制御装置の電気回路には、該回路に過電流が流れた際に該回路を遮断するヒューズがヒューズホルダに対し着脱可能に設けられ、該ヒューズには、該ヒューズをヒューズホルダから取外すための取外し工具が具備されていることを特徴とする請求項１乃至４何れか１項記載の開閉装置。
【請求項６】
上記送信機及び／又は上記制御装置の電気回路には、予備ヒューズ、及び該予備ヒューズを着脱可能に保持する予備ヒューズホルダが具備され、
上記取外し工具は、前記予備ヒューズを、前記予備ヒューズホルダから取外して上記電気回路上の上記ヒューズホルダに装着するのに用いられるように構成されていることを特徴とする請求項５記載の開閉装置。
【発明の詳細な説明】
【技術分野】
【０００１】
本発明は、オーバーヘッドドアを含むシャッター装置、雨戸を含む引戸、サッシ窓、ロールスクリーン、ブラインド、門扉、ゲート、スライディングウォール装置等、開閉体の閉鎖方向端部をスライドさせて閉鎖動作する開閉装置に関し、特に開閉体よりも閉鎖方向側に物体があることを感知する開閉装置に関するものである。
【背景技術】
【０００２】
従来、この種の発明には、特許文献１に記載されたもののように、シャッターカーテン下端の座板（２０）に、該座板（２０）がその閉鎖方向側の物体に接触したことを感知する物体感知手段と、該物体感知手段による感知信号を無線送信する送信部（６）と、該送信部（６）から送信された信号を受信して処理し所定の制御指令を発する制御装置（受信側装置Ｂ）とを備えた障害物感知装置がある。
この従来技術では、前記物体感知手段が感知状態から解除状態に変化したときに、送信部（６）から制御装置（受信側装置Ｂ）に対し、前記物体感知手段の状態変化を示す信号に併せて、バッテリー電圧を示す電圧信号が送信される。そして、制御装置（受信側装置Ｂ）では、受信された電圧信号より、送信部（６）のバッテリー電圧に異常があるか否かを判定し、シャッター装置の制御盤（２）に対し適宜な制御指令を発する。
【０００３】
ところで、シャッター装置には、上記物体感知手段が通常単数設けられるが、該シャッター装置の開閉体の幅寸法が比較的長尺な場合には、該開閉体下端の座板が複数の部材から構成されることや、該座板がその幅方向の左右で偏った閉鎖動作をするおそれがあること等から、開閉体幅方向にわたって複数の物体感知手段を設けた方が好ましい場合がある。
しかしながら、単一の開閉体に対し複数の物体感知手段を設けるようにした場合には、それら複数の物体感知手段の数に応じて、上記従来の障害物感知装置の各構成部品を複数備える必要があり、特に部品点数が多く比較的コスト高な制御装置（受信側装置Ｂ）を複数備えなければならないことは、開閉装置全体のコストを高騰させる一因になりかねない。また、メンテナンス上も好ましくない。
また、上記制御装置（受信側装置Ｂ）等の電気回路には、万が一、過電流が流れた際に該電気回路を保護するためのヒューズが用いられるが、メンテナンス等の際、比較的狭いスペースに収まっているヒューズを交換する作業は困難な場合があった。
【特許文献１】特開平９−２２８７６８号公報
【発明の開示】
【発明が解決しようとする課題】
【０００４】
本発明は上記従来事情に鑑みてなされたものであり、その課題とする処は、複数の物体感知手段の物体感知信号に応じて所定の制御指令を発しようとした場合でも、制御装置を複数備える必要がなく、生産性及びメンテナンス性が良好で低コストな開閉装置用物体感知装置を備えた開閉装置を提供することにある。
【課題を解決するための手段】
【０００５】
上記課題を解決するための技術的手段は、幅方向へ連続する単一の開閉体と、該開閉体よりも閉鎖方向の物体を感知した際の物体感知信号を送信する送信機と、該送信機から送信される信号を捕捉する捕捉部と、該捕捉部からの入力に応じて所定の制御指令を発する単一の制御装置とを備えた開閉装置において、前記送信機と前記捕捉部とを開閉体開閉方向に対向するように一対に設けるとともに、この一対の送信機および捕捉部を二つ備え、前記単一の開閉体の閉鎖方向端部に、開閉体幅方向へわたる座板を設けるとともに、この座板における開閉体幅方向の両側の各々に、前記開閉体よりも閉鎖方向の物体を感知する物体感知手段と、前記送信機を設け、不動部位に、前記両側の送信機にそれぞれ対応するように、二つの前記捕捉部および単一の前記制御装置を設け、前記各送信機における開閉体幅方向の両端側に、前記物体感知手段側の電気コード先端のコネクターに接続可能なコネクターを設け、前記二つの物体感知手段による二つの感知信号を、それぞれ、前記コネクターを介して前記送信機に入力し、前記送信機から対応する前記捕捉部へ送信し、二つの前記捕捉部から出力される二つの信号を単一の前記制御装置に入力し、入力された信号に応じて、単一の前記制御装置から所定の制御指令を発するようにしたことを特徴とする。
【発明を実施するための最良の形態】
【０００６】
第一の形態は、開閉装置における開閉体よりも閉鎖方向の物体を感知した際の物体感知信号を送信する送信機と、該送信機から送信される信号を捕捉する捕捉部と、該捕捉部からの入力に応じて開閉装置に対し所定の制御指令を発する制御装置とを備えた開閉装置用物体感知装置において、前記送信機と前記捕捉部とを一対として、この一対の送信機および捕捉部を複数設け、複数の捕捉部から出力される複数の信号を単一の前記制御装置に入力し、入力された信号に応じて、単一の前記制御装置から所定の制御指令を発するようにした。
ここで、上記形態の設置対象物である開閉装置は、少なくとも閉鎖方向へ動作可能な開閉体を備え、該開閉体のスライド動作により空間を仕切るように構成された装置であればよく、この開閉装置には、開閉体が閉鎖動作のみを行うように用いられる態様（例えば防火シャッター装置等）、開閉体が開放動作と閉鎖動作との双方を行うように用いられる態様等を含む。
また、この開閉装置には、開閉体をその開放方向側の巻取軸によって巻取り、該巻取軸から繰出すようにした態様や、開閉体をその開放方向側の収納部位へ巻き取ることなく収納し、該収納部位から繰出すようにした態様等を含む。
また、前記開閉体には、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等を含むが、この開閉体の好ましい態様としては、金属製のスラットやパネル等の剛性材料から構成される。
【０００７】
また、上記送信機の具体的構成としては、例えば、入出力装置や、記憶装置、中央処理装置などからなるマイコンと、送信回路とを備えた電子回路とすればよい。
また、上記制御装置の具体的構成としては、例えば、入出力装置や、記憶装置、中央処理装置などからなるマイコンと、受信回路とを備えた電子回路とすればよい。
【０００８】
また、上記物体感知信号とは、上記開閉装置に具備された物体感知手段から出力される信号である。この物体感知手段には、開閉体よりも閉鎖方向側の物体を接触感知する構成や、開閉体よりも閉鎖方向側の物体を非接触感知する構成等を含む。
【０００９】
また、上記制御指令には、例えば、警報音を発する指令や、警報ランプを点灯または点滅させる指令、開閉体を停止や反転等させる指令、開閉体を操作するための閉操作用及び／又は開操作用の押ボタンスイッチによる自己保持動作を解除するための指令等を含む。
【００１０】
また、第二の形態では、上記制御装置は、上記複数の捕捉部の内の何れか一以上の捕捉部から物体感知信号が入力されたことを条件に、所定の制御指令を発する。
【００１１】
また、第三の形態は、上記各送信機は、該送信機のバッテリー異常を示すバッテリー異常信号と、該送信機のバッテリー正常を示すバッテリー正常信号とを、バッテリー状態に応じて対応する上記捕捉部へ送信するように構成され、上記制御装置は、上記複数の捕捉部の内の何れか一以上の捕捉部から前記バッテリー異常信号が入力されたことを条件に、所定の制御指令を発し、その制御指令を、全ての捕捉部からバッテリー正常信号が入力されたことを条件に解除するように構成されている。
【００１２】
ここで、上記バッテリー異常信号とは、上記送信機のバッテリー電圧が異常であることを示す信号であり、例えば、上記送信機のバッテリー電圧値が予め設定された規定値よりも小さいことを示す信号とされる。なお、前記規定値は、例えば、上記送信機の最低動作電圧とすればよい。
同様に、上記バッテリー正常信号とは、上記送信機のバッテリー電圧が正常であることを示す信号であり、例えば、上記送信機のバッテリー電圧値が予め設定された規定値以上であること示す信号とされる。
【００１３】
また、第四の形態は、上記各送信機は、該送信機のバッテリー異常を示すバッテリー異常信号と、該送信機のバッテリー正常を示すバッテリー正常信号とを、バッテリー状態に応じて対応する上記捕捉部へ送信するように構成され、上記制御装置は、上記複数の捕捉部から入力されるバッテリー異常信号を、それぞれ個別に認識して所定の制御指令を発し、その制御指令を、対応する捕捉部からバッテリー正常信号が入力されたことを条件に解除するように構成されている。
【００１４】
ここで、「対応する捕捉部からバッテリー正常信号が入力されたことを条件に解除する」とは、より具体的に説明すれば、バッテリー異常信号が捕捉部から入力された後、その同捕捉部からバッテリー正常信号が入力された場合に、上記制御指令を解除することを意味する。
【００１５】
また、第五の形態では、上記送信機及び／又は上記制御装置の電気回路には、該回路に過電流が流れた際に該回路を遮断するヒューズがヒューズホルダに対し着脱可能に設けられ、該ヒューズには、該ヒューズをヒューズホルダから取外すための取外し工具が具備されている。
【００１６】
なお、この第五の形態による構成は、上記第一乃至四の何れか一の形態に従属しない独立した構成としても、後述する第五の形態に関する作用効果を奏する。
すなわち、この独立した構成は、過電流が流れた際に該回路を遮断するヒューズが着脱可能に設けられた電気回路であって、前記ヒューズには、該ヒューズを取外すための取外し工具が具備されている。
【００１７】
また、第六の形態では、上記送信機及び／又は上記制御装置の電気回路には、予備ヒューズ、及び該予備ヒューズを着脱可能に保持する予備ヒューズホルダが具備され、上記取外し工具は、前記予備ヒューズを、前記予備ヒューズホルダから取外して上記電気回路上の上記ヒューズホルダに装着するのに用いられるように構成されている。
ここで、上記予備ヒューズホルダは、上記電気回路に過電流が流れても破損することのないように、上記予備ヒューズを上記電気回路から絶縁して保持する構成とすることが好ましい。
【００１８】
なお、この第六の形態による構成は、以下のように、独立した構成としても、後述する第六の形態に関する作用効果を奏する。
すなわち、この独立した構成は、過電流が流れた際に該回路を遮断するヒューズがヒューズホルダに対し着脱可能に設けられるとともに、予備ヒューズ、及び該予備ヒューズを着脱可能に保持する予備ヒューズホルダが具備された電気回路であって、前記ヒューズには、該ヒューズを取外すための取外し工具が具備され、取外し工具は、前記予備ヒューズを、前記予備ヒューズホルダから取外して前記電気回路上のヒューズホルダに装着するのに用いられるように構成されている。
【００１９】
ここで、上記取外し工具の具体例としては、上記ヒューズおよび予備ヒューズに対し着脱可能に係合する係合部（孔や切欠を含む）を備え、該係合部を上記ヒューズに対し係合させることで保持される構成とすればよい。
【００２０】
また、第七の形態は、開閉体の閉鎖方向端部側に、開閉体幅方向へわたって、開閉体よりも閉鎖方向の物体を感知する物体感知手段と、該物体感知手段に対応する上記送信機とを複数設けるとともに、不動部位には、前記複数の送信機にそれぞれ対応する複数の上記捕捉部および単一の上記制御装置を設けた。
【００２１】
なお、本明細書中において「開閉体幅方向」とは、開閉装置における開閉体の開閉方向と略直交する方向であって、開閉体の厚さ方向ではない方向を意味する。
【００２２】
上記形態は、以上説明したように構成されているので、以下に記載されるような作用効果を奏する。
第一の形態によれば、複数の送信機および捕捉部から入力される複数の信号を単一の制御装置により処理し、該制御装置から所定の制御指令を発するようにしているため、例えば、複数の物体感知手段の物体感知信号に応じて所定の制御指令を発しようとした場合でも、制御装置を複数備える必要がなく、ひいては、当該の開閉装置用物体感知装置の生産性及びメンテナンス性を向上するとともに生産コストを削減することができる。
【００２３】
更に、第二の形態によれば、複数の捕捉部から入力される複数の物体感知信号を、制御装置によって効率的に処理し、所定の制御指令を発することができる。
【００２４】
更に、第三の形態によれば、複数の送信機の内の何れかがバッテリー異常となったことを、単一の制御装置により速やかに認識し所定の制御指令を発することができる。そして、その制御指令を、全ての捕捉部からバッテリー正常信号が入力された際に解除することができる。
【００２５】
更に、第四の形態によれば、複数の送信機の内の何れかがバッテリー異常となった場合に、そのバッテリー異常となった送信機を個別に認識して所定の制御指令を発することができる。したがって、使用者等がバッテリー交換する際には、バッテリー異常となった送信機を速やかに発見することができ、その交換作業が容易である。
【００２６】
更に、第五の形態によれば、電気回路のヒューズが切れた際に、その切れたヒューズを、該ヒューズに具備された取外し工具により速やかに取外すことができ、ひいては、メンテナンス性を一層向上することができる。
【００２７】
更に、第六の形態によれば、電気回路のヒューズが切れた際には、その切れたヒューズを取外し工具によって外し、予め具備された予備ヒューズを、同取外し工具によって予備ヒューズホルダから外して電気回路上のヒューズホルダに装着すればよい。したがって、メンテナンス性を更に向上することができる。
【００２８】
更に、第七の形態によれば、開閉体の幅方向にわたる複数箇所で、開閉体よりも閉鎖方向側の物体を感知できる上、その複数の物体感知信号を、単一の制御装置により速やかに処理し所定を制御指令を発することができ、ひいては、生産性及びメンテナンス性が良好で低コストな開閉装置を提供することができる。
【００２９】
以下、上記形態の好ましい具体例を図面に基づいて説明する。
図１に示す開閉装置用物体感知装置Ａは、複数の送信機（図示例によれば第一送信機１０と第二送信機１０’の二つ）、複数の座板スイッチ（図示例によれば第一座板スイッチ１５と第二座板スイッチ１５’の二つ）、複数の捕捉部（図示例によれば第一捕捉部２１と第二捕捉部２１’の二つ）、単数の制御装置２０を備え、開閉装置Ｂ（図２参照）に具備されている。
開閉装置Ｂは、本実施の形態の好ましい一例によれば、住宅やビル、倉庫、工場、地下街、トンネル、車両の荷台等の躯体の開口部分や内部に配設されて、前記開口部分を開閉したり、躯体内部の空間を仕切ったり開放したりするシャッター装置である。
【００３０】
第一送信機１０は、送信側制御回路部１１、バッテリー１２、電圧検知部１３、発信部１４などから構成される。
この送信機１０は、開閉装置Ｂの開閉体ｂ１下端の座板ｂ２における幅方向の一端側（図２によれば左端側）に固定され、バッテリー１２の電力により送信側制御回路部１１を動作させることで、開閉体ｂ１よりも閉鎖方向側の物体を感知した際の物体感知信号や、前記バッテリー１２の電圧が異常であるか否かを示すバッテリー状態信号（バッテリー異常信号及びバッテリー正常信号を含む）などを光無線発信する。
【００３１】
また、第二送信機１０’は、第一送信機１０と略同様に、送信側制御回路部１１、バッテリー１２、電圧検知部１３、発信部１４などから構成される。
この第二送信機１０’は、開閉装置Ｂの開閉体ｂ１下端の座板ｂ２における幅方向の他端側（図２によれば右端側）に固定され、上記第一送信機１０と略同様に作用する。
【００３２】
送信側制御回路部１１は、所謂マイコンや、送信機回路等を備えた電子回路であり、電圧検知部１３や第一座板スイッチ１５（又は第二座板スイッチ１５’）等から入力される信号を、バッテリー状態信号や物体感知信号として出力する。そして、これら出力信号は、発信部１４から第一捕捉部２１（又は第二捕捉部２１’）へ光無線発信される。
【００３３】
バッテリー１２は、送信側制御回路部１１の電源となる一般的な電池であり、交換可能に具備されている。
このバッテリー１２は、１次電池であっても、２次電池（充電式電池）であってもよい。更に、このバッテリー１２は、単数であっても複数であってもよく、複数とした場合には、直列接続であっても並列接続であってもよい。
【００３４】
また、電圧検知部１３は、バッテリー１２の電圧を検知し、その電圧に応じた信号を出力する装置である。
【００３５】
また、発信部１４は、送信側制御回路部１１により演算処理された信号を、赤外線を伝送媒体として制御装置２０の第一捕捉部２１（又は第二捕捉部２１’）へ向けて発信する発光体である。
【００３６】
また、第一座板スイッチ１５と第二座板スイッチ１５’の各々は、開閉装置Ｂの開閉体ｂ１がその閉鎖方向側の物体に接触したことを感知する物体感知手段を構成している。
この物体感知手段の具体例としては、図３に示すように、座板ｂ２に物体との当接により開放方向へ移動可能な可動部材ｂ２１を設け、該可動部材ｂ２１の開放方向への移動を、第一座板スイッチ１５（又は第二座板スイッチ１５’）により感知する構成とすればよい。
なお、第一座板スイッチ１５（又は第二座板スイッチ１５’）は、図示例によれば接触式スイッチ（例えば、リミットスイッチや、マイクロスイッチ、テープスイッチ等）による構成としているが、非接触式スイッチ（例えば、近接スイッチや、赤外線センサ等）による構成とすることも可能である。
【００３７】
そして、この第一座板スイッチ１５（又は第二座板スイッチ１５’）は、可動部材ｂ２１がその閉鎖方向側の物体との当接により開閉体開放方向へ移動した際（図３（ａ）参照）に、接点をＯＦＦからＯＮへ変化させ、また、前記物体が離れることで可動部材ｂ２１が開閉体閉鎖方向へ移動した際（図３（ｂ）参照）に、接点をＯＮからＯＦＦへ変化させるように構成してある。
なお、前記接点のＯＮ／ＯＦＦを逆にすることが可能なのは勿論である。
また、第一座板スイッチ１５（第二座板スイッチ１５’）は、図示例によれば、第一送信機１０（又は第二送信機１０’）と別体に構成されているが、第一送信機１０（又は第二送信機１０’）と一体的に構成することも可能である。
【００３８】
また、第一捕捉部２１と第二捕捉部２１’の各々は、発信部１４から送信される赤外線を受光し、電気信号として制御装置２０へ送信する所謂受光装置である。
第一捕捉部２１は、第一送信機１０の発信部１４と一対の関係となるように、第一送信機１０の発信部１４と対向して配置されている。
同様に、第二捕捉部２１’は、第二送信機１０’の発信部１４と一対の関係となるように、第二送信機１０’の発信部１４と対向して配置されている。
これら第一捕捉部２１および第二捕捉部２１’は、制御装置２０から電源を供給されて、同制御装置２０へ電気信号を送信するように電気配線されている。制御装置２０と複数の捕捉部（図示例によれば第一捕捉部２１と第二捕捉部２１’の二つ）と間の電源用の配線は、制御装置２０上の一つの電源供給用端子を共通端子として、該端子に、複数の捕捉部の電源用コードを接続するようにすればよい。
【００３９】
また、制御装置２０は、第一捕捉部２１、第二捕捉部２１’、開閉装置制御盤ｂ３、及び電源線（図示せず）などを接続する端子台（図示せず）や、第一捕捉部２１と第二捕捉部２１’から入力される信号をそれぞれ演算処理する受信側制御回路部２２等を具備し、送信機１０からのバッテリー状態信号や物体感知信号などを常に受信可能な状態で待機している。
受信側制御回路部２２は、所謂マイコンや、受信機回路、開閉装置Ｂを制御するための制御回路等を備えた電子回路であり、図示しない記憶装置に記憶されたプログラムに基づき機能することで、第一捕捉部２１および第二捕捉部２１’や開閉装置Ｂの制御盤ｂ３等から入力される信号を演算処理し、その処理結果に応じて、適宜な制御指令を開閉装置Ｂの制御盤ｂ３へ送信する。
【００４０】
また、開閉装置Ｂは、交流または直流のモータを駆動源ｂ４にして、巻取軸ｂ５を回転させ、該巻取軸ｂ５により開閉体ｂ１を繰出したり巻き取ったりするシャッター装置であり、制御盤ｂ３により駆動源ｂ４への供給電力を制御している（図２参照）。
制御盤ｂ３は、リレー回路や、シーケンサー、その他の電子回路等により構成され、制御装置２０からの制御指令や、操作ボックスｂ５（図１参照）からの信号に応じて、駆動源ｂ４を回転、停止、反転等させる。
【００４１】
開閉体ｂ１は、その幅方向（図２における左右方向）の寸法が比較的大きく形成されている。そのため、該開閉体ｂ１下端の座板ｂ２は、物体との当接により開放方向へ移動可能な可動部材ｂ２１を、開閉体幅方向へ長尺な２つの部材ｂ２１ａ，ｂ２１ｂ（図２参照）により構成し、この各部材毎に対応するように、第一座板スイッチ１５と第二座板スイッチ１５’とを配設している。
この構成によれば、開閉体ｂ１の閉鎖動作中、座板ｂ２の開閉体幅方向の一端側のみに障害物等の物体が当接した場合、その一端側の部材ｂ２１ａ（又はｂ２１ｂ）のみが相対的に後退するため、一端側の第一座板スイッチ１５（又は第二座板スイッチ１５’）のみが作動して物体感知信号を出力することになる。
【００４２】
なお、座板ｂ２の他例としては、上記可動部材ｂ２１を開閉体幅方向に一体的な部材から構成しても構わない。この構成では、開閉体ｂ１の閉鎖動作中、可動部材ｂ２１における開閉体幅方向の中央側に障害物が当接して可動部材ｂ２１が略水平状態のまま相対的に後退した場合には、第一座板スイッチ１５と第二座板スイッチ１５’の双方が作動し、同可動部材ｂ２１における開閉体幅方向の一端側に障害物が当接して可動部材ｂ２１が傾いた場合には、第一座板スイッチ１５と第二座板スイッチ１５’の内の何れか一方が作動することになる。
【００４３】
次に、開閉体ｂ１の閉鎖動作中に、第一座板スイッチ１５や第二座板スイッチ１５’の作動により、物体感知信号が第一送信機１０及び／又は第二送信機１０’から制御装置２０に送信された際における受信側制御回路部２２による動作を、図４に示すフローチャートに基づき詳細に説明する。
【００４４】
先ず、受信側制御回路部２２は、ステップ１ａにおいて、第一捕捉部２１からの物体感知信号があるか否かを判断し、物体感知信号がある場合にはステップ２へ処理を移行し、そうでない場合にはステップ１ｂへ処理を移行する。
ステップ１ｂでは、第二捕捉部２１’からの物体感知信号があるか否かを判断し、物体感知信号がある場合にはステップ２へ処理を移行し、そうでない場合にはステップ１ａへ処理を戻す。
そして、ステップ２では、開閉装置Ｂの開閉装置制御盤ｂ３に対し所定の制御指令が発せられる。開閉装置制御盤ｂ３は、前記制御指令に基づき駆動源ｂ４を制御することで、閉鎖動作中の開閉体ｂ１を一旦停止し、その直後に所定量反転動作し、再度停止する。
すなわち、図４に示すフローチャートによれば、第一座板スイッチ１５と第二座板スイッチ１５’の内の何れか一方が作動した場合であっても、閉鎖動作中の開閉体ｂ１を上記のように停止→反転→停止させることになる。
【００４５】
また、次に、バッテリー状態信号（より具体的にはバッテリー異常信号及びバッテリー正常信号）が物体感知信号が第一送信機１０から制御装置２０に送信された際における受信側制御回路部２２による動作の一例を、図４に示すフローチャートに基づき詳細に説明する。
前記バッテリー状態信号は、第一送信機１０（又は第二送信機１０’）がバッテリー１２の電圧を電圧検知部１３により検知し、その検知電圧が所定値よりも大きいか否かにより異なる信号とされ、例えば、第一送信機１０（又は第二送信機１０’）のバッテリーが所定電圧よりも大きいときには、１と表現されるバッテリー正常信号が第一送信機１０（又は第二送信機１０’）から送信され、第一送信機１０（又は第二送信機１０’）のバッテリーが所定電圧以下のときには、０と表現されるバッテリー異常信号が第一送信機１０（又は第二送信機１０’）から送信される。
このバッテリー状態信号は、例えば、第一座板スイッチ１５及び／又は第二座板スイッチ１５’がＯＮからＯＦＦに変化した際に第一送信機１０及び／又は第二送信機１０’から制御装置２０へ送信されるようにしてもよいし、あるいは、両座板スイッチ１５，１５’の作動に拘わらずに所定時間毎に第一送信機１０及び第二送信機１０’から制御装置２０へ送信されるようにしてもよい。
【００４６】
先ず、ステップ１１ａでは、第一捕捉部２１からバッテリー異常信号が入力されたか否かが判断され、バッテリー異常信号が入力された場合には、ステップ１２へ処理を移行し、そうでなければステップ１１ｂへ処理を移行する。
ステップ１１ｂでは、前記同様に、第二捕捉部２１’からバッテリー異常信号が入力されたか否かが判断され、バッテリー異常信号が入力された場合には、ステップ１２へ処理を移行し、そうでなければステップ１１ａへ処理を戻す。
【００４７】
そして、ステップ１２では、バッテリー異常フラグをＯＮにする処理を行う。
ここで、バッテリー異常フラグをＯＮにするとは、具体的には、受信側制御回路部２２における図示しない記憶装置に、バッテリー異常であることを示す１または０等の変数を記憶することを意味する。
【００４８】
次のステップ１３では、開閉体ｂ１を安全に制御するための指令が、開閉装置Ｂの制御盤ｂ３に対し発せられる。
この指令は、本実施の形態の好ましい一例によれば、操作ボックスｂ５の閉操作用及び開操作用の押ボタンスイッチによる自己保持動作を解除するための指令とされる。
【００４９】
すなわち、通常の動作では、例えば、開閉体ｂ１を閉鎖動作させようとした場合、操作者が指等で操作ボックスｂ５の閉操作用の押ボタンスイッチを押せば、開閉装置Ｂの制御盤ｂ３における自己保持回路の作用により、操作者の指等が前記押ボタンスイッチから離れたとしても、開閉体ｂ１の閉鎖動作が継続される。また、開閉体ｂ１を開放動作させようとした場合も同様に、操作者の指等が開操作用の押ボタンスイッチを押した後に離されても、開閉体ｂ１の開放動作が継続される。
しかしながら、上記ステップ１３によれば、前記自己保持回路の作用が解除されるため、操作者は、操作ボックスｂ５の閉操作用又は開操作用の押ボタンスイッチを押し続けなければ、開閉体ｂ１の開放動作又は閉鎖動作を継続できない状態になる。
そのため、操作者は、押ボタンスイッチから指等を離すことで、動作中の開閉体ｂ１を直ちに停止することができる。
【００５０】
なお、上記ステップ１３で発せられる指令は、開閉体ｂ１を安全に制御するための指令であれば、上記以外の指令に置換することも可能であり、例えば、開閉体ｂ１を停止や反転などさせる指令に置換することも可能である。
更に、上記ステップ１３での処理に伴って、ブザーを鳴動させる指令を発するようにしてもよい。
【００５１】
次に、ステップ１４では、第一捕捉部２１からバッテリー正常信号が入力されたか否かが判断され、入力された場合には次のステップ１５へ処理を移行し、そうでなければ、第一捕捉部２１からのバッテリー正常信号の入力待ち状態となる。
同様に、ステップ１５では、第二捕捉部２１’からバッテリー正常信号が入力されたか否かが判断され、入力された場合には次のステップ１６へ処理を移行し、そうでなければ、第二捕捉部２１’からのバッテリー正常信号の入力待ち状態となる。
【００５２】
そして、ステップ１６では、上記ステップ１２でＯＮにされたバッテリー異常フラグがＯＦＦにされる。すなわち、具体的には、受信側制御回路部２２における図示しない記憶装置に記憶された変数が、バッテリー正常を示す値に変更される。
更に、次のステップ１７では、開閉体ｂ１に対する安全制御（上記ステップ１３による処理）が解除され、ステップ１１ａへ処理が戻される。
【００５３】
すなわち、図５に示すフローチャートによれば、制御装置２０は、第一捕捉部２１又は第二捕捉部２１’からバッテリー異常信号が入力されたことを条件に、バッテリー異常であることを認識するとともに、開閉体ｂ１を安全に制御するための制御指令を発し、そのバッテリー異常の認識および前記制御指令を、第一捕捉部２１と第二捕捉部２１’の双方からのバッテリー正常信号が入力されたことを条件に解除する。
【００５４】
なお、上述した図５に示すフローチャートは、受信側制御回路部２２の記憶装置に記憶されたプログラムを変更することで、図６に示すフローチャートに置換することが可能である。以下に、図６に示すフローチャートとした場合の制御装置２０の動作を説明する。
先ず、ステップ２１ａでは、第一捕捉部２１からバッテリー異常信号が入力されたか否かが判断され、バッテリー異常信号が入力された場合には、ステップ２２ａへ処理を移行し、そうでなければステップ２１ｂへ処理を移行する。
【００５５】
ステップ２２ａでは、第一バッテリー異常フラグをＯＮにする処理を行う。具体的には、受信側制御回路部２２における図示しない記憶装置に、第一バッテリーが異常であることを示す１または０等の変数を記憶する。
【００５６】
ステップ２３ａでは、開閉体ｂ１を安全に制御するための指令が、開閉装置Ｂの制御盤ｂ３に対し発せられる。この指令は、例えば、上記ステップ１３と同様に、操作ボックスｂ５の閉操作用及び開操作用の押ボタンスイッチによる自己保持動作を解除するための指令とされる。
【００５７】
ステップ２４ａでは、第一捕捉部２１からバッテリー正常信号が入力されたか否かが判断され、入力された場合には次のステップ２５ａへ処理を移行し、そうでなければ、第一捕捉部２１からのバッテリー正常信号の入力待ち状態となる。
【００５８】
ステップ２５ａでは、上記ステップ２２ａでＯＮにされた第一バッテリー異常フラグがＯＦＦにされる。すなわち、具体的には、受信側制御回路部２２における図示しない記憶装置に記憶された変数が、バッテリー正常を示す値に変更される。
【００５９】
また、ステップ２１ｂでは、第二捕捉部２１’からバッテリー異常信号が入力されたか否かが判断され、バッテリー異常信号が入力された場合には、ステップ２２ｂへ処理を移行し、そうでなければステップ２１ａへ処理を戻す。
【００６０】
ステップ２２ｂでは、第二バッテリー異常フラグをＯＮにする処理を行う。具体的には、受信側制御回路部２２における図示しない記憶装置に、第二バッテリーが異常であることを示す１または０等の変数を記憶する。この変数は、上記第一バッテリーフラグを示す変数とは別の変数である。
【００６１】
ステップ２３ｂでは、開閉体ｂ１を安全に制御するための指令が、開閉装置Ｂの制御盤ｂ３に対し発せられる。この指令は、例えば、上記ステップ２３ａと同様に、操作ボックスｂ５の閉操作用及び開操作用の押ボタンスイッチによる自己保持動作を解除するための指令とすればよいが、他の制御指令とすることも可能である。
【００６２】
ステップ２４ｂでは、第二捕捉部２１’からバッテリー正常信号が入力されたか否かが判断され、入力された場合には次のステップ２５ｂへ処理を移行し、そうでなければ、第二捕捉部２１’からのバッテリー正常信号の入力待ち状態となる。
【００６３】
ステップ２５ｂでは、上記ステップ２２ｂでＯＮにされた第二バッテリー異常フラグがＯＦＦにされる。すなわち、具体的には、受信側制御回路部２２における図示しない記憶装置に記憶された変数であって、第二バッテリー異常フラグを示す変数が、バッテリー正常を示す値に変更される。
【００６４】
そして、ステップ２６では、開閉体ｂ１に対する安全制御（上記ステップ２３ａ及び２３ｂによる処理）が解除され、ステップ２１ａへ処理が戻される。
【００６５】
すなわち、図６に示すフローチャートによれば、制御装置２０は、第一捕捉部２１と第二捕捉部２１’から入力されるバッテリー異常信号を、それぞれ個別に認識して所定の制御指令を発し、その制御指令を、対応する捕捉部（第一捕捉部２１又は第二捕捉部２１’）からバッテリー正常信号が入力されたことを条件に解除する。
したがって、使用者等がバッテリー交換する際には、第一バッテリー異常フラグおよび第二バッテリーフラグのＯＮ／ＯＦＦ状態を確認することにより、バッテリー異常となった送信機（第一送信機１０または第二送信機１０’）を速やかに発見することができる。
なお、好ましい態様として、第一バッテリー異常フラグと第二バッテリー異常フラグとのＯＮ状態を、それぞれ個別に表示する発光体やブザー等を備えてもよい。
【００６６】
なお、本実施の形態によれば、バッテリー状態信号や物体感知信号などを、光（詳細には赤外線）を伝送媒体にして、送信機１０，１０’から制御装置２０へ送信する構成としているが、電波や超音波、電磁波等を伝送媒体にした構成とすることも可能である。
また、図示例によれば、第一送信機１０、第二送信機１０’、第一捕捉部２１、及び第二捕捉部２１’の距離や配置等によっては、第一送信機１０から送信される信号が第二捕捉部２１’に捕捉されてしまったり、第二送信機１０’から送信される信号が第一捕捉部２１に捕捉されてしまったり等するおそれがある。
このことを防ぐためには、第一送信機１０と第二送信機１０’の各々から送信される信号に、これら第一送信機１０と第二送信機１０’とを識別するためのＩＤコードを含ませればよい。
この構成の場合、制御装置２０側では、信号を捕捉した第一捕捉部２１（又は第二捕捉部２１’）と該信号に含まれるＩＤコードとが対応するか否かを判断し、対応する場合には捕捉された信号を有効にし、対応しない場合には捕捉された信号を無効にすればよい。
【００６７】
次に、上記制御装置２０における受信側制御回路部２２を構成する電気回路基板の特徴について説明する。
図７に示すように、受信側制御回路部２２を構成する電気回路の基板３１には、該回路に過電流が流れた際に該回路を遮断するヒューズ３２が着脱可能に設けられ、該ヒューズ３２には、該ヒューズ３２を取外すための取外し工具３３が略環状に係合されている。
更に、同電気回路の基板３１には、前記ヒューズ３２が過電流等により溶断したときのために、交換用の予備ヒューズ３４を備えている。
【００６８】
ヒューズ３２は、一般的なガラス管ヒューズであり、その長手方向の両端側の金属管状の部分が、それぞれヒューズホルダ３５に嵌め合わせられることで、基板３１に対し略平行状に支持されている。
ヒューズホルダ３５は、上方を開口した断面略コ字状の一般的なヒューズホルダであり、ヒューズ３２が上方から抜き差しされるように構成されている。
【００６９】
また、取外し工具３３は、難燃性かつ絶縁性の良好な合成樹脂材料から形成され、ヒューズ３２を挿通させるためのヒューズ挿通孔３３ａや、指で摘まれる部分に配設された係合孔３３ｂ等を備える。
この取外し工具３３の外観形状は、特に限定されるものでないが、本実施の形態の好ましい一例によれば、図９に示すように、平面視略長方形状に形成され、その一端側にヒューズ挿通孔３３ａを配置し、その他端側に係合孔３３ｂを配置している。
ヒューズ挿通孔３３ａは、ヒューズ３２を抜き差し可能なように、ヒューズ３２の外径よりも若干大きい内径に形成されている。
係合孔３３ｂは、取外し工具３３が指等で摘まれる際に滑り止めとなるとともに、ドライバー等の治具の先端を挿入することも可能なように、適宜な内径に形成されている。
【００７０】
また、予備ヒューズ３４は、上記ヒューズ３２と同一部品のガラス管ヒューズであり、制御装置２０のケース等に固定された予備ヒューズホルダ３６に装着されることで、基板３１に対し略垂直状に支持されている。
予備ヒューズホルダ３６は、合成樹脂材料などから図１０に示す環状に形成され、その内周面を予備ヒューズ３４の外周面に弾性的に圧接させることで、予備ヒューズ３４を着脱可能に支持している。
なお、この予備ヒューズホルダ３６の形状は、予備ヒューズ３４が脱落し難く且つ予備ヒューズ３４の着脱が容易なものであれば、図示例以外のものであってもよい。
【００７１】
上記構成によれば、ヒューズ３２を取外す際、図７（ａ）に示すように、取外し工具３３の係合孔３３ｂがある部分を指等で摘み、上方へ引っ張れば、ヒューズ３２を容易に外すことができる（図７（ｂ）参照）。この作業の際、万が一、電気回路が通電されていたとしても、指等がヒューズホルダ３５に触れて感電してしまうのを防ぐことができる。
なお、ヒューズ３２を外す作業は、取外し工具３３の係合孔３３ｂにドライバー等の工具の先端を挿込み、該工具を上方へ引くようにしてもよい。
【００７２】
次に、予備ヒューズ３４を取外し工具３３によってヒューズホルダ３５に装着する手順について説明する。
先ず、図８（ａ）に示すように、取外し工具３３の係合孔３３ｂ側を指等で摘み、同取外し工具３３のヒューズ挿通孔３３ａを、略環状に予備ヒューズ３４に被せる。
そして、取外し工具３３を若干傾けることで、ヒューズ挿通孔３３ａの内周面を予備ヒューズ３４の外周面に接触させ（図８（ａ）参照）、その状態のまま、取外し工具３３を上方へ引き上げれば、予備ヒューズ３４が予備ヒューズホルダ３６から抜き出される（図８（ｂ）参照）。
次に、取外し工具３３を回動させることで、予備ヒューズ３４が基板３１に対し略平行となるようにし（図８（ｃ）参照）、その状態のまま、取外し工具３３をヒューズホルダ３５へ向けて移動させれば、予備ヒューズ３４の両端側がヒューズホルダ３５に嵌まり合う。
【００７３】
而して、前記装着手順によれば、予備ヒューズ３４をヒューズホルダ３５へ装着する作業と、予備ヒューズ３４へ取外し工具３３へ環状に係合させる作業との双方の作業を、効率的に行うことができる上、万が一電気回路が通電されている場合であっても、作業者等の指がヒューズホルダ３５に触れて感電してしまうのを防ぐことができる。
なお、予備ヒューズ３４は、取外し工具３３を用いることなく、指や他の工具等により摘まんで、ヒューズホルダ３５に装着されてもよい。
【００７４】
次に、当該開閉装置用物体感知装置Ａの第一送信機１０及び第二送信機１０’における機構上の特徴について述べる。
第一送信機１０と第二送信機１０’の各々は、図１１及び１２に示すように、開閉装置Ｂの座板ｂ２に装着可能な略長尺状の本体ケース１０ａ内に、上述した送信側制御回路部１１や、バッテリー１２、電圧検知部１３、発信部１４等を具備している。
前記本体ケース１０ａは、その両端側に、他の部分と仕切られたコネクター室１０ａ１，１０ａ１を備え、各コネクター室１０ａ１内で、第一座板スイッチ１５（又は１５’）側の電気コード１５ａ先端のコネクター１５ｂを、送信側制御回路部１１側のコネクター１１ａに接続することで、その接続箇所の防水性を向上している。
上述した開閉装置用物体感知装置Ａでは、図１１に示すように、単一の第一送信機１０に対し単一の第一座板スイッチ１５を接続し、同様にして単一の第二送信機１０’に対し単一の第一座板スイッチ１５を接続している。
したがって、本体ケース１０ａの両側の二つのコネクター室１０ａ１，１０ａ１およびコネクター１１ａ，１１ａの内、その一方のみが利用されて、第一座板スイッチ１５が接続されている。
二つのコネクター室１０ａ１，１０ａ１およびコネクター１１ａ，１１ａの内の何れを利用するかは、第一座板スイッチ１５又は第二座板スイッチ１５’の配置された箇所から近いほうのものとすればよい。
【００７５】
上記構成の第一送信機１０又は第二送信機１０’について、他の使用態様としては、図１２に示すように、単一の第一送信機１０又は第二送信機１０’に対し、二つの座板スイッチ１５”，１５”を接続した構成とすることも可能である。
この構成の場合、二つの座板スイッチ１５”，１５”は、例えば、上記第一座板スイッチ１５と第二座板スイッチ１５’とすることが可能である。
すなわち、上記開閉装置用物体感知装置Ａの構成において、第二送信機１０’及び第二捕捉部２１’を省き、残る第一送信機１０に対し第一座板スイッチ１５及び第二座板スイッチ１５’を接続し、より低コストな構成とすることが可能である。
この構成では、第一座板スイッチ１５と第二座板スイッチ１５’との内の何れか一方の座板スイッチからの物体感知信号があった場合に、その物体感知信号を第一送信機１０から制御装置２０へ送信し、制御装置２０により物体感知信号に応じた制御指令を発するようにすればよい。
【００７６】
また、他例としては、上記開閉装置用物体感知装置Ａの構成において、第一送信機１０に対し、上記第一座板スイッチ１５に置換して二つの座板スイッチ１５”，１５”を接続するとともに、第二送信機１０’に対しても、上記第二座板スイッチ１５’に置換して二つの座板スイッチ１５”，１５”を接続し、合計四つの座板スイッチ１５”，１５”，１５”，１５”を、座板ｂ２における開閉体幅方向に所定間隔置きに配置するようにしてもよい。
この構成によれば、閉鎖動作中の開閉体ｂ１が物体に当接したことを、より精度よく感知することができる。
すなわち、上記開閉装置用物体感知装置Ａによれば、可動部材ｂ２１を構成する一方の部材ｂ２１ａにおける長手方向の一端側に第一座板スイッチ１５が設けられた場合、その他端側に物体が当接した場合、前記部材ｂ２１ａが傾くだけで、第一座板スイッチ１５が作動しないおそれがあるが、上記構成によれば、一つの前記部材ｂ２１ａに対し二つの座板スイッチ１５”，１５”が具備されるため、前記のよう現象を防ぎ、物体感知精度を向上することができる。
【００７７】
また、上記開閉装置用物体感知装置Ａでは、単一の第一送信機１０（又は第二送信機１０’）に対し単一の第一捕捉部２１（又は第二捕捉部２１’）を具備した構成としているが、単一の第一送信機１０（又は第二送信機１０’）に対し複数の補足部２１”を備えることも可能である。
この構成の一例について説明すれば、図１３に示すように、二つの補足部２１”，２１”の内の一方が、開閉体ｂ１を引き込んだり繰出したりするまぐさ部材ｂ６の下端側に設けられ、他方が同まぐさ部材ｂ６の開口部の奥側に設けられる。
すなわち、上述した開閉装置用物体感知装置Ａでは、図１３におけるまぐさ部材ｂ６下端側の補足部２１”のみを備えた構成と略同等であるが、この場合には、開閉体ｂ１が全開位置に近い状態において、第一送信機１０から発信される光線の角度が大きくなり、その光線をまぐさ部材ｂ６下端側の補足部２１”により捕捉できないおそれがある。
しかしながら、上述した図１３に示す構成によれば、まぐさ部材ｂ６下端側の補足部２１”により捕捉できなかった光線を補足部２１”により捕捉することができる。
なお、この構成の場合における受信側制御回路部２２の処理は、複数の補足部２１”の内の何れか一つの補足部２１”から物体感知信号やバッテリー状態信号を受信した場合に、その受信信号に応じて所定の制御指令を発するようにすればよい。
【図面の簡単な説明】
【００７８】
【図１】本発明に関わる開閉装置用物体感知装置の一例を示すブロック図である。
【図２】同開閉装置用物体感知装置を備えた開閉装置の一例を示す正面図である。
【図３】物体感知手段の一例を示す縦断面図であり、（ａ）は物体の当接により可動部材が上昇した状態を示し、（ｂ）は物体が離れることにより可動部材が下降した状態を示す。
【図４】物体感知信号を受信した際の制御装置側の処理の一例を示すフローチャートである。
【図５】バッテリー状態信号を受信した際の制御装置側の処理の一例を示すフローチャートである。
【図６】バッテリー状態信号を受信した際の制御装置側の処理の他例を示すフローチャートである。
【図７】受信側制御回路部におけるヒューズの取り付け構造を示す要部断面図であり、（ａ）はヒューズが装着された状態を示し、（ｂ）は同ヒューズが外された状態を示している。
【図８】受信側制御回路部におけるヒューズの取り付け構造を示す要部断面図であり、（ａ）は予備ヒューズを取外し工具により外そうとしている状態を示し、（ｂ）は同予備ヒューズを取外し工具により外した状態を示し、更に、（ｃ）は同予備ヒューズを取外し工具によりヒューズホルダへ装着しようとしている状態を示している。
【図９】取外し工具の一例を示す平面図である。
【図１０】予備ヒューズホルダの一例を示す上面図である。
【図１１】送信機と座板スイッチとの接続関係の一例を示す構造図である。
【図１２】送信機と座板スイッチとの接続関係の他例を示す構造図である。
【図１３】単一の送信機に対し複数の捕捉部を備えるようにした構成の一例を示す要部縦断面図である。
【符号の説明】
【００７９】
Ａ：開閉装置用物体感知装置
Ｂ：開閉装置
ｂ１：開閉体
ｂ２：座板
１０：第一送信機
１０’：第二送信機
１１：送信側制御回路部
１２：バッテリー
１３：電圧検知部
１４：発信部
１５：第一座板スイッチ
１５’：第二座板スイッチ
２０：制御装置
２１：第一捕捉部
２１’：第二捕捉部
２２：受信側制御回路部
【図１】
0004809013.tif 000002
【図２】
0004809013.tif 000003
【図３】
0004809013.tif 000004
【図４】
0004809013.tif 000005
【図５】
0004809013.tif 000006
【図６】
0004809013.tif 000007
【図７】
0004809013.tif 000008
【図８】
0004809013.tif 000009
【図９】
0004809013.tif 000010
【図１０】
0004809013.tif 000011
【図１１】
0004809013.tif 000012
【図１２】
0004809013.tif 000013
【図１３】
0004809013.tif 000014